(57)【要約】【課題】主引出しと内引出しを連結して引出し可能であり、主引出しと内引出しの両方にソフトクローズ機構を採用して成る引出しキャビネットにおいて、連結状態で引出すための力を軽減する。【解決手段】内引出し４の取手１７は、主引出し３の前面扉６の開口部７を挿通して前方に突出しており、内引出し４の取手１７によって内引出し４をキャビネット本体１内において単独で前方に向けて引くことができ、内引出し４が第１所定位置に達すると、ソフトクローズ機構による内引出し４に対する引込み力の作用が解除され、その後又は同時に内引出し４が主引出し３に当接して両者が連結状態となって共に前方にスライド移動し、第２所定位置において、ソフトクローズ機構による主引出し３に対する引込み力の作用が解除される。【選択図】図３
2014004330.tif 000002
【特許請求の範囲】
【請求項１】
前面扉と物品を収納するための主引出し本体とを有する主引出しと、物品を収納するために主引出し本体の上方に配置される内引出し本体と内引出し本体の前面壁に取付けられた取手とを有する内引出しと、主引出しと内引出しとを収容するキャビネット本体と、主引出しをキャビネット本体にスライド移動可能な状態で固定するとともに主引出しの閉止方向に引込み力が作用する第１レールと、内引出しをキャビネット本体にスライド移動可能な状態で固定するとともに内引出しの閉止方向に引込み力が作用する第２レールと、を備えた引出しキャビネットであって、
内引出しの取手を引くことにより内引出しが引出し方向である前方へと移動し、内引出しが第１所定位置まで引出されたときには、第２レールの内引出しに対する引込み力の作用が解除され、内引出しがさらに引出されることにより内引出しの当接部が主引出しの前面扉に当接して主引出しと内引出しとが連結状態で引出すことが可能となることを特徴とする引出しキャビネット。
【請求項２】
請求項１に記載の引出しキャビネットであって、連結状態の引出しが第２所定位置まで引出されたときには、第１レールの主引出しに対する引込み力の作用が解除されることを特徴とする引出しキャビネット。
【請求項３】
請求項１または２に記載の引出しキャビネットであって、内引出しの前面壁が当接部として機能することを特徴とする引出しキャビネット。
【請求項４】
請求項３に記載の引出しキャビネットであって、主引出しの前面扉には、主引出しを単独で引出すためのハンドル状の主取手と、前面扉における主取手の内部位置に形成された開口部と、が設けられており、内引出しの取手は、開口部を挿通して前面扉の表面よりも前方に突出していることを特徴とする引出しキャビネット。
【請求項５】
請求項３に記載の引出しキャビネットであって、主引出しの前面扉の上端面が、主引出しを単独で引出すための手掛かり部とされており、内引出しの取手が、主引出しの手掛かり部の上方において前方に突出していることを特徴とする引出しキャビネット。
【請求項６】
請求項３に記載の引出しキャビネットであって、主引出しの前面扉の上端面のうち幅方向における一部分には、主引出しを単独で引出すための主取手が形成され、幅方向における残りの部分には、内引出しの取手が、主引出しの前面扉の上端面よりも上方の位置に主取手と並んで配置されていることを特徴とする引出しキャビネット。
【請求項７】
請求項１から６のいずれかに記載の引出しキャビネットであって、第ｌレールと第２レールには、主引出しと内引出しが閉止する際の衝撃を吸収するためのダンパーがそれぞれ取付けられていることを特徴とする引出しキャビネット。
【発明の詳細な説明】
【技術分野】
【０００１】
本発明は、キッチン等で使用される引出しキャビネットに関し、特に、主引出しに加えて内引出しを有し、さらに、主引出しと内引出しの両方に対し、閉止方向に引込み力が作用し、引出しの閉止時にはダンパーが作用するレール（以下、ソフトクローズ機構）を備えた引出しキャビネットに関する。
【背景技術】
【０００２】
近年のキッチンではデザイン性を重視して、引出しの前面扉割を大型化する傾向や、その一方でキャビネットの収納効率を向上させたいという ニーズがあり、内引出しを備えた引出しが増えている。そして、キッチンキャビネットにおいて、使い勝手向上のため、主引出しと内引出しとを連結させて引出せる引出しキャビネットも知られている（特許文献１参照）。
【０００３】
また、引出しに小さな力を加えれば、引出しのレールが有する引込み力によって引出しが収納位置に引込まれる、いわゆるソフトクローズ機構を備えたキャビネットも増えている。ソフトクローズ機構を備えたキッチンキャビネットでは、引出しを閉める際の衝撃を吸収するために、キャビネット本体にダンパーを取付けている（特許文献２参照）。
本出願人は、自社の先願として、内引出しを主引出しと連結させて引出す際の引出し力の軽減する発明（特願２０１１−１２１５２０）を提案している。
【０００４】
さらに、キャビネットにおいて、主引出しの前面扉の上部が手掛かりとして機能する構成が知られている（特許文献３参照）。
【先行技術文献】
【特許文献】
【０００５】
【特許文献１】特開２００６−１４１７９６号公報
【特許文献２】特開２００７−２５２４９１号公報
【特許文献３】特開２００８−１４８９５４号公報
【発明の概要】
【発明が解決しようとする課題】
【０００６】
主引出しと内引出しを連結させて引出すことが可能な引出しにおいては、主引出しと内引出しの両方にソフトクローズ機構を採用すると、それぞれのレールが有する引込み力の和が、連結状態で引出しを開けようとする引出し力の反力となる。このため、連結状態で引出しを引出すためには大きな力が必要になり、ユーザーにとって不便な面があった。
【０００７】
本発明は、上記のとおり、主引出しと内引出しを連結させて引出すことが可能であり、主引出しと内引出しの両方にソフトクローズ機構を採用して成る引出しにおいて、連結状態で引出すための力が軽減されたキャビネットを実現することを課題とする。
【課題を解決するための手段】
【０００８】
本発明は上記課題を解決するために、前面扉と物品を収納するための主引出し本体とを有する主引出しと、物品を収納するために主引出し本体の上方に配置される内引出し本体と内引出し本体の前面壁に取付けられた取手とを有する内引出しと、主引出しと内引出しとを収容するキャビネット本体と、主引出しをキャビネット本体にスライド移動可能な状態で固定するとともに主引出しの閉止方向に引込み力が作用する第１レールと、内引出しをキャビネット本体にスライド移動可能な状態で固定するとともに内引出しの閉止方向に引込み力が作用する第２レールと、を備えた引出しキャビネットであって、内引出しの取手を引くことにより内引出しが引出し方向である前方へと移動し、内引出しが第１所定位置まで引出されたときには、第２レールの内引出しに対する引込み力の作用が解除され、内引出しがさらに引出されることにより内引出しの当接部が主引出しの前面扉に当接して主引出しと内引出しとが連結状態で引出すことが可能となることを特徴とする引出しキャビネットを提供する。
【０００９】
連結状態の引出しが第２所定位置まで引出されたときには、第１レールの主引出しに対する引込み力の作用が解除される構成としてもよい。
【００１０】
内引出しの前面壁が当接部として機能する構成としてもよい。
【００１１】
主引出しの前面扉には、主引出しを単独で引出すためのハンドル状の主取手と、前面扉における主取手の内部位置に形成された開口部と、が設けられており、内引出しの取手は、開口部を挿通して前面扉の表面よりも前方に突出している構成としてもよい。
【００１２】
主引出しの前面扉の上端面が、主引出しを単独で引出すための手掛かり部とされており、内引出しの取手が、主引出しの手掛かり部の上方において前方に突出している構成としてもよい。
【００１３】
主引出しの前面扉の上端面のうち幅方向における一部分には、主引出しを単独で引出すための主取手が形成され、幅方向における残りの部分には、内引出しの取手が、主引出しの前面扉の上端面よりも上方の位置に主取手と並んで配置されている構成としてもよい。
【００１４】
第ｌレールと第２レールには、主引出しと内引出しが閉止する際の衝撃を吸収するためのダンパーがそれぞれ取付けられている構成としてもよい。
【発明の効果】
【００１５】
本発明によると、主引出しと内引出しの両方にソフトクローズ機構を採用して成る引出しキャビネットにおいて、主引出しと内引出しを連結させて引出すことが可能であり、連結状態で引出すための力を軽減することが可能となる。    
【図面の簡単な説明】
【００１６】
【図１】本発明に係る引出しキャビネットの実施例１を示す図であり、（ａ）は主引出しと内引出しが閉じられた状態を示す断面図であり、（ｂ）は主引出しと内引出しのそれぞれの取手を示す（ａ）のＢ−Ｂ断面図であり、（ｃ）は主引出しと内引出しが前方に引出された状態を示す断面図である。
【図２】実施例１の斜視図であり、（ａ）は主引出しを示し、（ｂ）は内引出しを示し、（ｃ）は主引出しと内引出しの取手の配置関係を示す図である。
【図３】実施例１の作用を説明する断面図であり、（ａ）は内引出しのソフトクローズ機構のバネによる引込み力の作用が解除される第１所定位置の状態を示し、（ｂ）は主引出しのソフトクローズ機構のバネによる引込み力の作用が解除される第２所定位置の状態を示す。
【図４】実施例１の作用を説明する断面図であり、（ａ）は主引出しのソフトクローズ機構のバネによる引込み力の作用が解除される第２所定位置の状態を示し、（ｂ）は主引出しが前方に引出された状態を示す。
【図５】（ａ）、（ｂ）は実施例１の変形例を示す図であり、（ａ）は正面図であり、（ｂ）は（ａ）のＢ−Ｂ断面図を示し、（ｃ）、（ｄ）はそれぞれ実施例１の別の変形例を示す取手の水平断面図を示す。
【図６】実施例１のダンパー内蔵したソフトクローズ機構を備えた内引出し用の第２レールを説明する図であり、（ａ）は平面図であり、（ｂ）は側面図であり、（ｃ）は（ａ）の要部拡大図であり、（ｄ）は（ａ）のＤ−Ｄ断面図である。
【図７】実施例１の内引出し用の第２インナーレールを説明する図であり、（ａ）は平面図であり、（ｂ）は側面図であり、（ｃ）は正面図であり、（ｄ）は第２レールに組み込んだ状態のソフトクローズ機構付きレール装置の側面図であり、（ｅ）は第２レールに組み込んだ状態を下方から見た図であり、（ｆ）は第２レールに組み込んだ状態を正面から見た図である。
【図８】実施例１の内引出し用の第２レールに設けられているロック案内部材を示す図であり、（ａ）は水平断面図であり、（ｂ）は正面図であり、（ｃ）はロック部材の平面図であり、（ｄ）はロック部材の正面図である。
【図９】（ａ）、（ｂ）はそれぞれ図８（ａ）のＡ−Ａ、Ｂ−Ｂ断面図であり、（ｃ）は第２レール上に第２インナーレールを取付けた状態を示す断面図（図９（ａ）のＣ−Ｃ断面図）であり、（ｄ）はその要部拡大図である。
【図１０】（ａ）〜（ｃ）はソフトクローズ機構の作用を説明する図である。
【図１１】本発明に係る引出しキャビネットの実施例２を示す図であり、（ａ）は主引出しと内引出しが閉じられた状態を示す断面図であり、（ｂ）は主引出しの手掛かり部と内引出しの取手を示す要部断面図であり、（ｃ）は主引出しと内引出しが前方に引出された状態を示す断面図である。
【図１２】実施例２の斜視図であり、（ａ）は主引出しであり、（ｂ）は内引出しを示す。
【図１３】実施例２の作用を説明する断面図であり、（ａ）は内引出しのソフトクローズ機構のバネによる引込み力の作用が解除される第１所定位置の状態を示し、（ｂ）は主引出しのソフトクローズ機構のバネによる引込み力の作用が解除される第２所定位置の状態を示す。
【図１４】実施例２の作用を説明する断面図であり、（ａ）は主引出しのソフトクローズ機構のバネによる引込み力の作用が解除される第２所定位置の状態を示し、（ｂ）は主引出しが前方に引出された状態を示す。
【図１５】（ａ）は実施例２の変形例を示す断面図であり、（ｂ）は実施例２の別の変形例を示す断面図である。
【図１６】本発明に係る引出しキャビネットの実施例３を示す図であり、（ａ）は主引出しと内引出しが閉じられた状態を示す断面図であり、（ｂ）は（ａ）のＢ−Ｂ断面図であり、（ｃ）は（ｂ）のＣ−Ｃ断面図である。
【図１７】本発明に係る引出しキャビネットの実施例３を示す図であり、（ａ）は主引出しと内引出しの要部を示す斜視図であり、（ｂ）は主引出しの主取手を説明する断面図であり、（ｃ）は内引出しの取手を説明する断面図である。
【図１８】実施例３の作用を説明する断面図であり、（ａ）は内引出しのソフトクローズ機構のバネによる引込み力の作用が解除される第１所定位置の状態を示し、（ｂ）は主引出しのソフトクローズ機構のバネによる引込み力の作用が解除される第２所定位置の状態を示し、（ｃ）は主引出しと内引出しが前方に引出された状態を示す。
【図１９】実施例３の作用を説明する断面図であり、（ａ）は主引出しのソフトクローズ機構のバネによる引込み力の作用が解除される第２所定位置の状態を示し、（ｂ）は主引出しが前方に引出された状態を示す。
【図２０】実施例３の変形例を説明する図であり、（ａ）は要部斜視図であり、（ｂ）は内引出しの直上から見た水平断面図であり、（ｃ）は引出しキャビネットの前方から見た（（ｂ）のＣ−Ｃ参照）正面図であり、（ｄ）は（ｂ）のＤ−Ｄ断面図である。
【図２１】本発明に係る引出しキャビネットの実施例４を説明する図であり、（ａ）は主引出しと内引出しを示す斜視図であり、（ｂ）は内引出しと主引出しを共に閉じた場合の要部を示す斜視図である。
【図２２】実施例４の構成、作用を説明する断面図であり、（ａ）は内引出しと主引出しが引出しキャビネット内に収まって閉じている状態を示し、（ｂ）は内引出しを、ソフトクローズ機構のバネによる引込み力の作用が解除される第１所定位置まで、引出した状態を示す。
【図２３】実施例４の構成、作用を説明する断面図であり、（ａ）は内引出しの当接板が主引出しに当接した状態を示し、（ｂ）は主引出しのソフトクローズ機構のバネによる引込み力の作用が解除される第２所定位置まで引出した状態を示す。
【図２４】実施例４の構成、作用を説明する断面図であり、（ａ）は内引出しと主引出しを共に略全開に引出した状態を示し、（ｂ）は内引出しは閉じ、主引出しは開いている状態を示す。
【図２５】実施例４の変形例１を説明する図であり、（ａ）は引出しキャビネットの断面図であり、（ｂ）は引出しキャビネットの正面図である。
【図２６】実施例４の変形例２を説明する図であり、（ａ）は引出しキャビネットの断面図であり、（ｂ）は引出しキャビネットの正面図であり、（ｃ）は引出しキャビネットの要部断面図である。
【図２７】実施例５の構成、作用を説明する断面図であり、（ａ）は主引出しと内引出しが引出しキャビネット内に収まって閉じている状態を示し、（ｂ）は内引出しの当接板が主引出しに当接した状態を示す。
【発明を実施するための形態】
【００１７】
本発明に係る引出しキャビネットを実施するための形態を実施例に基づき図面を参照して、以下説明する。
【実施例】
【００１８】
（実施例１）
全体構成：
図１〜１０は、本発明に係る引出しキャビネットの実施例１を説明する図である。この実施例１の引出しキャビネット１は、図１（ａ）、（ｃ）に示すように、主引出し３と、主引出し３の上方に設けられた内引出し４を備えており、主引出し３及び内引出し４は、それぞれキャビネット本体２に対して前後方向にスライド移動可能に設けられている。
【００１９】
主引出し３は、図１（ａ）、図２（ａ）に示すように、前面扉６と、物品を収納するための主引出し本体１０とを有する。主引出し３の前面扉６には、図１（ｂ）、図２（ａ）、（ｃ）に示すように、主引出し３を単独で引出すための平面視で凹型で前方に突出したハンドル状の主取手５と、前面扉６における主取手５の内部位置（前面扉６を正面から見て、前面扉６における主取手５に対応する後方位置）に形成された開口部７が設けられている。
【００２０】
内引出し４は、図１（ａ）に示すように、物品を収納するために主引出し本体１０の上方に配置される内引出し本体１５を有し、内引出し本体１５の前端に設けられた前面壁１３には、図１（ａ）、（ｂ）、図２（ｂ）に示すように、内引出し４を引出すための平面視で凹型で前方に突出したハンドル状の取手１７が設けられている。
【００２１】
内引出し４の取手１７は、図１（ａ）、（ｂ）、図２（ｃ）に示すように、主引出し３の前面扉６の開口部７を挿通し前面扉６の表面よりも前方に突出するように設けられている。使用者は、内引出し４の取手１７における前面扉６の表面よりも前方に突出した部分に手を掛けて、内引出し４を前方にスライド移動し、引出すことができる。
【００２２】
キャビネット本体２の左右の側壁１４の内側面には、それぞれ図１（ｃ）に示すように、主引出し３用の第１レール８と内引出し４用の第２レール９が設けられている。第１レール８は、主引出し３をキャビネット本体２にスライド移動可能な状態で固定する。
【００２３】
第２レール９は、内引出し４をキャビネット本体２にスライド移動可能な状態で固定する。後記するが、主引出し３及び内引出し４は、それぞれ第１レール８及び第２レール９でキャビネット本体２内の方向に押込んでスライド移動する行程において、その途中の第２所定位置及び第１所定位置まで達すると、閉止方向に引込み力が作用する。
【００２４】
主引出し３の左右の外側面には、それぞれ図１（ａ）、（ｃ）に示すように、キャビネット本体２の第１レール８をスライド移動する第１インナーレール１１が設けられている。また、内引出し４の左右の外側面には、それぞれ図１（ａ）、（ｃ）に示すように、キャビネット本体２の第２レール９をスライド移動する第２インナーレール１２が設けられている。
【００２５】
内引出し４は、キャビネット本体２内に完全に引込まれて閉じている状態では、図１（ａ）、（ｂ）に示すように、内引出し４の前面壁１３の前面は、主引出し３の前面扉６の内面（前面扉の前面に対する後側の面）から距離Ｓ１だけキャビネット本体２の奥側（内方）に位置するような構成となっている。
【００２６】
従って、使用者が内引出し４の取手１７に手を掛けて前方に引くと、内引出し４は、キャビネット本体２内で距離Ｓ１だけ単独で前方にスライド移動し、内引出し４の前面壁１３が主引出し３の前面扉６の内面に当接する。この当接した状態から、さらに使用者が内引出し４の取手１７に手を掛けて前方に引くと、図３（ｂ）、図１（ｂ）に示すように、主引出し３と内引出し４が連結状態となって、共に前方にスライド移動する。実施例１では、前面壁１３が当接部に相当する。
【００２７】
主引出し３のみ引出す場合は、図４（ａ）、（ｂ）に示すように、使用者が主引出し３の主取手５に手を掛けて前方に引くことで、主引出し３のみを単独で前方にスライド移動させて引出すことができる。
【００２８】
ところで、本発明の引出しキャビネット１は、主引出し３及び内引出し４について、それぞれソフトクローズ機構によって、引出しを閉める際に、引出しがキャビネット本体２に閉まる前に、引込み力が作用し、しかも減速されて、使用者が最後まで手で押込まなくても、引出しは、ゆっくりと後方に移動して閉まるように構成されている。
【００２９】
ソフトクローズ機構は、引出しをキャビネット本体２内に引込む引込み力を生じる「引込み機構」と、使用者が引出しを後方に押込む押込み力及び引込み力によって引出しがキャビネット本体２に衝撃を与えないように緩衝する「ダンパー」とを有する。
【００３０】
本発明の引出しキャビネット１は、主引出し３及び内引出し４を開く際に、それぞれのソフトクローズ機構で生じる引込み力の和に対して引出すための力を軽減する構成を特徴とするものであり、従って、ソフトクローズ機構を備えていることを前提としている。ソフトクローズ機構自体は、本出願前に公知であるが、本発明は、ソフトクローズ機構によって生じる引込み力の和に対して引出すための力を軽減する構成を特徴とし、ソフトクローズ機構と密接に関連するために、ソフトクローズ機構の一例を説明する。
【００３１】
本発明の引出しキャビネット１の前提であるソフトクローズ機構は、主引出し３については、第１レール８及び第１インナーレール１１とともにソフトクローズ機構付きレール装置の構成しており、内引出し４については第２レール９及び第２インナーレール１２とともにソフトクローズ機構付きレール装置の構成している。
【００３２】
主引出し３におけるソフトクローズ機構付きレール装置と、内引出し４におけるソフトクローズ機構付きレール装置は、同じ構成であるので、ここでは、内引出し４のソフトクローズ機構付きレール装置について説明する。
【００３３】
ソフトクローズ機構付きレール装置の全体構成：
内引出し４用の第２レール９は、図６に示すように、長尺状の底部２６と、底部２６の外縁から上方垂直に起立した外側壁２７と、底部２６の内縁から上方垂直に起立しさらに外側に水平に曲げて形成された支持レール部２８とを備えている。外側壁２７がキャビネット本体２の側壁１４の内面にねじ等で固定されることで、第２レール９は、キャビネット本体２に取付けられる。
【００３４】
第２インナーレール１２は、図７に示すように、長尺状の頂壁３２と、頂壁３２の外縁から下方垂直に曲げられた外側壁３３と、外側壁３３の下縁から内側に水平に曲げて形成された底部３４と、頂壁３２の内縁から下方垂直に曲げられた内側壁３５とを備えている。底部３４の下面には、後記するロック部材と係合する係合突起３６が下方に向けて突設されている。
【００３５】
図７に示すように、外側壁３３の外面に、取付け壁３１が上方に伸びるよう固定されており、取付け壁３１が内引出し４の側板２０の外面に固定されることで、第２インナーレール１２が内引出し４に取付けられる。    
【００３６】
第２インナーレール１２が、図７（ｆ）に示すように、第２レール９の支持レール部２８上に転動輪３８を介して又は直接載置され、前後方向に移動することで、内引出し４は、引出しキャビネット本体２に対して前後方向にスライド移動可能となる。
【００３７】
ソフトクローズ機構の構成：                         
次に、ソフトクローズ機構２１について、まずその引込み機構２２について説明する。第２レール９の底部２６の長手方向中央部に、図６（ａ）に示すように、長手方向に伸びるロック案内部材４０が設けられている。
【００３８】
ロック案内部材４０は、図８（ａ）、（ｂ）、図９（ａ）、（ｂ）に示すように、頂壁４１と、頂壁４１の外縁から下方に第２レール９の底部２６まで垂下した外側壁４２と、頂壁４１の内縁から下方に垂下した内側壁４３と、前端及び側部に設けられた取付け部４４とから構成されている（側部については図示せず）。内側壁４３と第２レール９の底部２６との間には、図８（ｂ）、図９（ａ）に示すように、長手方向に沿って隙間４６が形成されている。
【００３９】
ロック案内部材４０の内側壁４３の後端部では、図８（ｂ）に示すように、内側壁４３は第２レール９の底部２６まで垂下して形成されている。ロック案内部材４０の前端部に近い部分は、図８（ａ）、（ｂ）、図９（ｂ）に示すように、内側壁４３は形成されておらず、頂壁４０と第２レール９の底部２６との間には、隙間４６より上下方向に広い開口部４５が形成されている。         
【００４０】
ロック案内部材４０で案内するロック部材５０は、図８（ｃ）、（ｄ）に示すように、略台形状の平板部５１を有する。平板部５１上に、前方内側には第１案内隆起部５２が形成されており、後方方外側には第２案内隆起部５３が形成されている。
【００４１】
第１案内隆起部５２及び第２案内隆起部５３の間に、図８（ａ）、図９（ａ）、（ｃ）、（ｄ）に示すように、ロック案内部材４０の内側壁４３が嵌合し、ロック部材５０は、ロック案内部材４０で案内されて第２レール９の底部２６上を前後方向に移動可能である。
【００４２】
平板部５１の内側部上において、前方には第１係合隆起部５４が形成されており、後方には第２係合隆起部５５が形成されている。第１係合隆起部５４と第２係合隆起部５５は、図８（ｃ）に示すように、平面視で二股状に形成されている。
【００４３】
平板部５１の外側部上には、バネ５９の先端を装着する装着部５７が設けられている。バネ５９の基端部は、図６（ａ）、（ｃ）、（ｅ）に示すように、第２レール９の底部２６の後端のバネ装着部６１に装着されている。バネ５９は、引っ張りバネを使用し、その弾力（付勢力）によって、ロック部材５０及び係合突起３６を介して第２レール９に対して第２インナーレール１２を後方へ引込む力（本明細書では「引込み力」という）を生じる。
【００４４】
内引出し４がキャビネット本体２内に完全に引込まれた閉止状態から開くために、内引出し４を引込み力に抗して前方に引出すと、作用の項でも詳記するが、図１０（ｂ）に示す位置でロック部材５０及び係合突起３６の係合は解除され、バネ５９による引込み力の作用は解除される。このように、内引出し４を前方に引出す移動行程において、バネ５９による引込み力の作用が解除される内引出し４の位置を、本明細書では「第１所定位置」と称す。
【００４５】
本発明の引出しキャビネット１では、バネ５９による引込み力の作用を解除するタイミングとなる第１所定位置は、内引出し４がキャビネット本体２内で単独で前方にスライド移動して、その前面壁１３が前面扉６に当接するまでの間の位置又は該当接する位置になるように構成した。この点が、本発明の引出しキャビネット１のきわめて特徴的な構成である。
【００４６】
これを数式的に表現すると、内引出し４が、キャビネット本体２内に完全に引込まれた閉止状態（図１（ａ）参照）の前面壁１３の前面の位置から前面扉６までの距離Ｓ１とし、同じく閉止状態の前面壁１３の前面の位置から第１所定位置における前面壁１３の前面の位置までの距離Ｒ１とすると、距離Ｓ１≧距離Ｒ１である。
【００４７】
即ち、内引出し４の前面壁１３が主引出し３の前面扉６の内面に当接する前又は当接する際に、バネ５９による引込み力の作用を解除する構成とした。これにより、内引出し４の前面壁１３が主引出し３の前面扉６の内面に当接してから主引出し３と内引出し４が連結状態となって共に前方にスライド移動する間は、少なくとも内引出し４についはバネ５９による引込み力を作用させないようにした。
【００４８】
Ｓ１＞Ｒ１のときは、主引出し３の前面扉６の内面と内引出し４の前面壁１３とが当接する際の衝撃を吸収するために、前面扉６の内面あるいは前面壁１３のいずれかに、パッキン等の衝撃吸収のための部材を貼付けてもよい。
【００４９】
以上がソフトクローズ機構２１の特に引込み機構２２の構成であるが、引込み機構２２を設けると、内引出し４を閉じる際に、バネ５９による引込み力で、内引出し４がキャビネット本体２に対して衝突するので、ソフトクローズ機構２１においては、ダンパーを設ける必要がある。                                   
【００５０】
この実施例１のソフトクローズ機構２１は、図６（ａ）〜（ｃ）に示すように、第２レール９にダンパー６２が内蔵（併設）されている。このダンパー６２は、油圧シリンダー緩衝器（空圧緩衝器でもよい）が使用されており、その可動ピストン軸６３から側方に突出した受け部６４に第２インナーレール１２の後端が衝接するように構成されている。
【００５１】
作用の項で詳記するが、内引出し４を閉じるために後方に押込むと、係合突起３６が第２係合隆起部５５に係合し、ロック部材５０が案内部材に沿うようになり、しかもバネ５９の弾力（付勢力）によって、第２レール９に対して第２インナーレール１２を後方へ引込み力を生じる。
【００５２】
このように、バネ５９の弾力がロック部材５０に作用するタイミングと同時に、第２インナーレール１２の後端がダンパー６２の受け部６４に衝接するように構成されており、これにより、バネ５９による弾力で第２インナーレール１２に引込み力を作用させ、かつ緩衝させながら、第２インナーレール１２を後方へ引込むように作用させる。
【００５３】
ソフトクローズ機構の動作：
内引出し４が閉じた状態（図１（ａ）参照）から前方に引出すと、図１０（ａ）に示すように、第２インナーレール１２の係合突起３６がロック部材５０の第１係合隆起部５４と係合し、ロック部材５０が、その第１案内隆起部５２と第２案内隆起部５３がロック案内部材４０の内側壁４３に沿うようにして、前方に移動する。ロック部材５０が前方に移動する際に、バネ５９をその弾力に抗して伸ばし付勢力を蓄える。
【００５４】
内引出し４がさらに前方に引出され第１所定位置（図３（ａ）参照）まで移動し、ロック部材５０が前方に移動して、第１案内隆起部５２が内側壁４３の開口部４５に達すると、図１０（ｂ）に示すように、第１案内隆起部５２が案内部材の内側壁４３から外れて開口部４５に入り込み、ロック部材５０は、バネ５９の弾力によってその外側面５６を中心にして反時計方向に回転して、開口部４５からロック案内部材４０内に一部入り込み、そこで停止する。
【００５５】
同時に、第２インナーレール１２の係合突起３６は、第１係合隆起部５４との係合から脱してさらに前方に移動する。従って、それ以降は、内引出し４の前方への移動によって、バネ５９を付勢することもなく、また、内引出し４はバネ５９の引込み力を受けることがない。
【００５６】
内引出し４を閉じる場合は、内引出し４を後方に押込む。そして、内引出し４が第１所定位置（図３（ａ））まで移動すると、図１０（ｃ）に示すように、第２インナーレール１２の係合突起３６は第２係合隆起部５５に係合し、ロック部材５０を時計方向に回転させる。これにより、ロック部材５０は、その第１案内隆起部５２と第２案内隆起部５３が、ロック案内部材４０の内側壁４３に沿うようになって、前方に移動可能となる。また、同時に、第２インナーレール１２の外側壁３３の後端がダンパー６２の受け部６４に衝接する。
【００５７】
この状態では、バネ５９により、内引出し４に後方に戻る引込み力が作用するが、第２インナーレール１２の外側壁３３後端がダンパー６２の受け部６４に衝接して緩衝されるので、内引出し４はゆっくりした速度で後方に戻る。これにより、内引出し４は、後方への引込み力が作用し自動的、後方に戻って閉じるが、衝突音が発生したり、キャビネット本体２の破損等が生じることがない。
【００５８】
以上が内引出し４についてのソフトクローズ機構付きレール装置の構成及び動作であるが、主引出し３についても同じ構成のソフトクローズ機構付きレール装置が採用される。主引出し３についてバネによる引込み力の作用が解除するタイミングは、主引出し３がキャビネット本体２内に完全に収まっている状態から前方に引出されてスライド移動し、図３（ｂ）に示すように、前面扉６が前方に距離Ｒ２だけ移動し、主引出し３が第２所定位置に達した時である。
【００５９】
（作用）                          
内引出し４を使用する場合は、図１（ａ）の閉止状態から使用者が内引出し４の取手１７に手をかけて前方に引くと、内引出し４は、キャビネット本体２内で単独で前方にスライド移動し、図３（ａ）に示すように、前面壁１３が前方に距離Ｒ１だけ移動し、内引出し４が第１所定位置まで引出される。この第１所定位置において、ソフトクローズ機構２１により生じるバネによる引込み力の作用を解除する。
【００６０】
この状態でさらに前方に引き続けると、前面壁１３が距離Ｓ１（距離Ｓ１は図１（ａ）参照）まで前方に移動して主引出し３の前面扉６の内面に当接し、主引出し３と内引出し４が連結状態となって共に前方にスライド移動し始める。
【００６１】
なお、距離Ｒ１（内引出し４の閉止状態からバネによる引込み力の作用が解除する位置までの前面壁１３の移動距離）を、距離Ｓ１（主引出し３及び内引出し４の閉止状態における前面壁１３の前面から前面扉６の内面までの距離）と同じ長さに設定してもよいが、その場合は、内引出し４のソフトクローズ機構２１により生じるバネ５９による引込み力の作用の解除と、内引出し４の前面壁１３が主引出し３の前面扉６の内面への当接が、略同時に生じる。
【００６２】
主引出し３と内引出し４が連結状態となって共に前方にスライド移動し始める行程では、内引出し４についてはバネによる引込み力はすでに解除されているので受けないが、主引出し３についてはそのソフトクローズ機構により生じるバネによる引込み力が作用する。
【００６３】
そして、主引出し３の閉止状態から、図３（ｂ）に示すように、前面扉６が前方に距離Ｒ２だけ移動して、主引出し３が第２所定位置まで引出された時に、主引出し３のソフトクローズ機構により生じるバネによる引込み力の作用が解除する。
【００６４】
さらに主引出し３と内引出し４が連結状態で共に前方にスライド移動する際には、主引出し３及び内引出し４は、いずれについても、ソフトクローズ機構により生じるバネによる引込み力はすでに解除されているので、引込み力を受けることなく、図１（ｃ）に示すように、前方に引出すことができる。
【００６５】
図１（ｃ）の状態において、内引出し４のみをキャビネット本体２内に押込んで閉じる場合は、内引出し４の取手１７に手を掛けて内引出し４後方に押込み移動させる。この移動の際、第１所定位置（図３（ａ）参照）まで内引出し４を押込むと、内引出し４のソフトクローズ機構２１が動作して、内引出し４は、バネにより引込み力が作用されるとともに、ダンパーにより緩衝されて、キャビネット本体２内に引込まれる。
【００６６】
その後、主引出し３をキャビネット本体２内に押込んで閉じる場合も、主取手５に手を掛けて後方に押込み移動させると、第２所定位置（図３（ｂ）参照）において、内引出し４と同様にソフトクローズ機構２１が動作してキャビネット本体２内に引込まれる。
【００６７】
主引出し３を単独で使用する場合は、図１（ａ）に示す状態から、使用者が主引出し３の主取手５に手を掛けて前方に引くことで、主引出し３のみを単独で引出すことができる。この場合は、主引出し３が、図４（ａ）に示すように、前面扉６が前方に距離Ｒ２だけ移動し、第２所定位置に達した時に、主引出し３のソフトクローズ機構により生じるバネによる引込み力の作用が解除される。そして、さらに主引出し３の主取手５に手を掛けて前方に引くことで、図４（ｂ）に示すように開くことができる。
【００６８】
（実施例１の変形例）
図５は、本発明に係る引出しキャビネットの実施例１の変形例を説明する図である。実施例１の引出しキャビネット１では、前面扉６に内引出し４の取手１７が挿通する開口部７が形成されているので、この開口部７からゴミやほこり等の異物がキャビネット本体２内に入り込む可能性がある。
【００６９】
この問題を解決するために、実施例１の変形例では、前面扉６の内面において、図５（ａ）、（ｂ）に示すように、開口部７の上縁部及び下縁部に、それぞれ開口部７の横幅方向（左右方向）に長尺状で弾性を有するパッキン７１を、タッカー止め又は接着剤で貼着して取付けて成る構成とした。
【００７０】
上下のパッキン７１は、互いの対向縁の間が極力隙間のないように取付けられており、内引出し４の取手１７は、この対向縁の間を通し、上下のパッキン７１に摺接するようにして開口部７に挿通されている。このような構成とすることで、異物はキャビネット本体２内に入り込みにくくなる。
【００７１】
また、実施例１の別の変形例では、内引出し４の取手を、図５（ｃ）に示すような構成とした。即ち、この内引出し４の取手７２は、キャビネット本体２内に完全に引込まれた閉止状態において、開口部７に対応する位置に、左右方向に延びる橋絡部７３が形成されている構成とした。
【００７２】
このような構成の内引出し４の取手７２を開口部７に挿通することで、橋絡部７３が開口部７を略閉止し、異物はキャビネット本体２内に入り込みにくくなる。なお、この変形例のような取手は、開口部７を略閉止できればよいので、図５（ｄ）に示すように、開口部７の前方に手掛け孔７４を形成して成る板状の取手７５としてもよい。
【００７３】
（実施例２）                                      
図１１〜１５は、本発明に係る引出しキャビネットの実施例２を説明する図である。この実施例２の引出しキャビネット８１は、実施例１の引出しキャビネット１とソフトクローズ付きレール装置も含めて略同じ構成であるので、同じ構成については説明を省略し、実施例１の引出しキャビネット１と相違する構成を中心に、以下、説明する。なお、実施例２について実施例１と同じ構成は同じ符号を使用する。
【００７４】
実施例２の引出しキャビネット８１は、実施例１の引出しキャビネット１と比較して、取手の構成において異なる。実施例２の引出しキャビネット８１においては、前面扉８２の上端面が、主引出し８３を単独で引出すための手掛かり部８４となるように形成されている。
【００７５】
この手掛かり部８４である前面扉８２の上端面は、図１１（ｂ）、図１２（ａ）に示すように、前面扉８２の前面側から後面側（キャビネット本体側）に向けて下方に傾斜した傾斜面として形成されている。この傾斜面として形成された手掛かり部８４が、主引出し８３の取手としての機能を果たし、傾斜面に手を掛けて主引出し８３を前方に引出すことができる。
【００７６】
実施例２では、内引出し８７は、図１１（ｂ）、（ｃ）、図１２（ｂ）に示すように、前面壁１３の前面上端にアルミや合成樹脂で形成された小物収納部材８８が取付けられている。この小物収納部材８８は、後端に前面壁１３の後面上端にビス止めによって取付ける取付部８９と、この取付部８９から前方に向けて延びるように形成された小物収納部９０を有し、前端に内引出し８７の取手９１が形成されている。
【００７７】
小物収納部９０は、スプーン、フォーク等の小物を収納する部分であり、この実施例２では、左右方向に延び断面がハーフパイプ状（略凹状）の２つの小物収納面９２を有する。内引出し８７の取手９１は、図１１（ｂ）に示すように、主引出し８３の手掛かり部８４の上方において前方に突出して設けられている。内引出し８７の取手９１は、その断面がコの字を下方に向けた形状をしており、使用者は下方から指を掛けて前方に引くことで、内引出し８７を前方に引出すことができる。
【００７８】
（作用）
上記構成から成る実施例２の引出しキャビネット８１の作用は次のとおりである。使用者が、図１1（ａ）、（ｂ）に示す状態から内引出し８７の取手９１に手を掛けて前方に引くと、内引出し８７は単独でキャビネット本体２内で前方にスライド移動する。
【００７９】
そして、図１３（ａ）に示すように、前面壁１３が距離Ｒ１だけ前方に移動し、内引出し８７が第１所定位置まで移動すると、実施例１と同様に、ソフトクローズ機構２１のバネによる引込み力の作用が解除される。そして、さらに距離Ｓ１（距離Ｓ１については図１１（ａ）、（ｂ）参照）まで移動すると、内引出し８７の前面壁１３が主引出し８３の前面扉８２の内面に当接する。実施例２では、実施例１と同様に、前面壁１３が当接部に相当する。
【００８０】
なお、実施例１と同様に、距離Ｒ１（内引出し８７の閉止状態からバネによる引込み力の作用が解除する位置までの前面壁１３の移動距離）を、距離Ｓ１（主引出し８３及び内引出し８７の閉止状態における前面壁１３の前面から前面扉８２の内面までの距離）と同じ長さに設定してもよいが、その場合は、内引出し８７のソフトクローズ機構２１により生じるバネによる引込み力の作用の解除と、内引出し８７の前面壁１３が主引出し８３の前面扉８２の内面への当接が、略同時に生じる。
【００８１】
内引出し８７への引込み力の作用が解除されてから、さらに使用者が内引出し８７の取手９１に手を掛けて前方に引くと、主引出し８３と内引出し８７が連結状態となって共に前方にスライド移動する。この移動行程では、主引出し８３についてソフトクローズ機構による引込み力は作用するが、図１３（ｂ）に示すように、主引出し８３の前面扉８２が距離Ｒ２だけ前方に移動し、主引出し８３が第２所定位置にくると、主引出し８３についてもソフトクローズ機構による引込み力の作用が解除される。
【００８２】
さらに内引出し８７の取手９１に手を掛けて前方に引いて、主引出し８３と内引出し８７が連結状態で共に前方にスライド移動する行程では、主引出し８３及び内引出し８７のいずれについても、ソフトクローズ機構により生じるバネによる引込み力の作用はすでに解除されているので、引込み力を受けることなく、図１１（ｃ）に示す状態まで前方に引出すことができる。
【００８３】
図１１（ｃ）に示す状態において、内引出し８７の取手９１を後方に押して内引出し８７を後方にスライド移動すれば、主引出し８３を開くことができる。そして、内引出し８７をさらに後方に押し、第１所定位置（図１３（ａ）参照）まで押込むと、内引出し８７は、ソフトクローズ機構２１のバネ５９により生じるに引込み力によってキャビネット本体２に引込まれる点は、実施例１と同じである。
【００８４】
図１４は、主引出し８３のみを単独で引出す作用を説明する図である。主引出し８３の手掛かり部８４に手を掛けて前方に引くことにより、図１４（ａ）に示すように、主引出し８３の前面扉８２が距離Ｒ２だけ前方に移動し、主引出し８３が第２所定位置にくると、ソフトクローズ機構のバネによる引込み力の作用が解除される。その後は、図１４（ｂ）に示す状態まで、主引出し８３のみを引込み力の作用を受けることなく、単独で引出して開くことができる。
【００８５】
（実施例２の変形例）
図１５は、本発明に係る引出しキャビネットの実施例２の変形例を説明する図である。実施例２の引出しキャビネット８１では、前面扉８２の上端面に、手掛かり部８４として傾斜面が形成されているので、手掛かり部８４と内引出し８７の取手９１の間の隙間からキャビネット本体２内にゴミ等の異物が入り込む可能性がある。
【００８６】
この問題を解決するために、実施例２の変形例では、図１５（ａ）に示すように、前面扉８２の上端部の内面にパッキン９５を上方に延びるように取付け、手掛かり部８４と内引出し８７の取手９１の間の隙間を、手掛かり部８４の傾斜面の後面側において略閉じるような構成とした。
【００８７】
このような構成とすることにより、異物がキャビネット本体２内に入りにくくした。パッキン９５は、合成樹脂、ゴム等の材料で形成されたものであり、前面扉８２の内面に、タッカー留め又は接着剤で貼着して取付ける。
【００８８】
また、実施例２の別の変形例では、前面扉８２の手掛かり部８４は、図１５（ｂ）に示すように、前面扉８２の上端面に左右方向に延びる指を掛けることのできる凹溝９６が形成されて成る構成とした。そして、手掛かり部８４の後端下縁を、内引出し８７の小物収納部材８８の下面に近接して設けることによって、前面扉８２の手掛かり部８４と取手９１の間の隙間を極力小さくする構成とした。
【００８９】
このような構成とすることにより、異物がキャビネット本体２内に入りにくくした。使用者は、凹溝９６に指を掛けて前方に引くことで、主引出し８３を前方に引出すことが可能である。
【００９０】
（実施例３）                              
図１６〜１９は、本発明に係る引出しキャビネットの実施例３を説明する図である。この実施例３の引出しキャビネット１０１は、実施例１の引出しキャビネット１と略同じ構成であるので、同じ構成については説明を省略し、実施例１の引出しキャビネット１と相違する構成を中心に、以下、説明する。なお、実施例３について実施例１と同じ構成は同じ符号を使用する。
【００９１】
実施例３の引出しキャビネット１０１は、実施例１の引出しキャビネット１と比較して、取手の構成において異なる。実施例３の引出しキャビネット１０１においては、図１６（ａ）〜（ｃ）、図１７（ａ）〜（ｃ）に示すように、主引出し１０２の前面扉６の上端面のうち横幅方向における一部分には、主引出し１０２を単独で引出すための主取手１０３が取付けられており、横幅方向における残りの部分には、内引出し１０６の取手１０７が、主引出し１０２の前面扉６の上端面よりも上方の位置に主取手１０３と横幅方向に並んで配置されている。
【００９２】
主取手１０３は、アルミ、合成樹脂等の材料で形成され、図１７（ｂ）に示すように、後方垂直部１０８、指掛け部１０９及び載置部１１０を有する。後方垂直部１０８は、前面扉６の上端部の内面にビス留めして固定され上方に延びる。指掛け部１０９は、後方垂直部１０８の上端から前方に延び、使用者が指を掛けることのできるように断面┌ 型形状である。載置部１１０は、後方垂直部１０８の下部から前方に水平に延び前面扉６の上端面に載置される。
【００９３】
内引出し１０６の取手１０７は、アルミ、合成樹脂等の材料で形成され、図１７（ｃ）に示すように、¬ 型の水平基部１１５と、水平基部１１５の前部から上方に延びる垂直部１１６と、垂直部１１６の上端から前方に延び使用者が指を掛けることのできる┌ 型の指掛け部１１７とを有する。 水平基部１１５は、内引出し１０６の前面壁１３の上端面に載置され前面壁１３の上部内面にビス留めして固定され、前方かつ前面扉６の上方に水平に延びる。                  
【００９４】
（作用）
使用者が、図１６（ａ）に示す閉止状態から内引出し１０６の取手１０７に手を掛けて前方に引くと、内引出し１０６は、単独でキャビネット本体２内で前方にスライド移動する。そして、図１８（ａ）に示すように、内引出し１０６が距離Ｒ１だけスライド移動し第１所定位置まで引出されると、実施例１と同様に、ソフトクローズ機構２１のバネによる引込み力の作用が解除される。さらに、内引出し１０６は、距離Ｓ１までスライド移動すると、内引出し１０６の前面壁１３が主引出し１０２の前面扉６の内面に当接する。実施例３では、実施例１と同様に、前面壁１３が当接部に相当する。
【００９５】
この状態で、さらに使用者が内引出し１０６の取手１０７に手を掛けて前方に引くと、主引出し１０２と内引出し１０６が連結状態となり、共に前方にスライド移動する。この移動行程では、内引出し１０６については、ソフトクローズ機構２１のバネによる引込み力は作用しないが、主引出し１０２については、ソフトクローズ機構のバネによる引込み力が作用する。
【００９６】
そして、図１８（ｂ）に示すように、主引出し１０２の前面扉６が距離Ｒ２だけ前方に移動し主引出し１０２が第２所定位置まで引出されると、主引出し１０２についてもソフトクローズ機構のバネによる引込み力の作用が解除される。
【００９７】
さらに内引出し１０６の取手１０７に手を掛けて前方に引いて、主引出し１０２と内引出し１０６が連結状態で共に前方にスライド移動する行程では、主引出し１０２及び内引出し１０６のいずれについても、ソフトクローズ機構のバネによる引込み力はすでに解除されているので、いずれの引込み力を受けることなく、図１８（ｃ）の状態まで前方に引出して開くことができる。
【００９８】
図１８（ｃ）の状態において、内引出し１０６の取手１０７を後方に押して引出しを後方にスライド移動すれば、主引出し１０２を開くことができ、さらに後方に押し、第１所定位置（図１８（ａ）参照）でソフトクローズ機構によりキャビネット本体に内に引込まれる点は、実施例１と同じである。
【００９９】
主引出し１０２のみを引出す際には、主取手１０３に手を掛けて前方に引けばよい。そして、主引出し１０２が図１９（ａ）に示す第２所定位置までスライド移動すると、主引出し１０２のソフトクローズ機構のバネによる引込み力は解除され、図１９（ｂ）に示す状態まで引込み力を受けることなく開くことができる。
【０１００】
（実施例３の変形例）
図２０（ａ）〜（ｄ）は、本発明に係る引出しキャビネットの実施例３の変形例を説明する図である。前記実施例３の引出しキャビネット１０１については、内引出し１０６の内引出し本体１１８は、主引出し１０２の主引出し本体１１９と同じ横幅（左右方向の幅）を有し、内引出し１０６の取手１０７は内引出し本体１１８の横幅の一部の幅とする構成とした。
【０１０１】
これに対して、この変形例の引出しキャビネット１２０については、内引出し１２１の内引出し本体１２２と取手１０７の横幅を、共に主引出し本体１１９の横幅の一部の幅（例えば半分の幅）とする構成とした。内引出し本体１２２は、図２０（ｂ）、（ｄ）に示すように、キャビネット本体２の左右の側壁のうちの一方の側壁１４に、第２レール９及び第２インナーレール１２によって、片持支持されてスライド移動するように構成されている。
【０１０２】
なお、主引出し１０２は、図２０（ｄ）に示すように、キャビネット本体２の左右の側壁１４に、第１レール８及び第１インナーレール１１によって、両側から支持されてスライド移動するように構成されており、この点は、実施例１〜３と同じである。また、この変形例の引出しキャビネット１２０の作用は、実施例３と同じである。
【０１０３】
（実施例４）
本発明に係る引出しキャビネットの実施例４を、図２１〜２４において説明する。この実施例４の引出しキャビネット１３１は、実施例１の引出しキャビネット１と、ソフトクローズ付きレール装置も含めて、略同じ構成であるので、同じ構成については説明を省略し、実施例１の引出しキャビネット１と相違する構成を中心に、以下説明する。なお、実施例４について実施例１と同じ構成は同じ符号を使用する。
【０１０４】
前述のように、実施例１の引出しキャビネット１では、内引出し４を前方に引出して主引出し３の前面扉６に当接して内引出し４とともに主引出し３も前方に引出す構成としており、内引出し４を前方に引出す際に、前面扉６に当接する内引出し４の当接部は、その前面壁１３である。
【０１０５】
これに対して、実施例４の引出しキャビネット１３１では、内引出し１３２を前方に引出す際に、主引出しの前面扉に当接する内引出し１３２の当接部は、その前面壁１３３ではなく、図２２（ａ）に示すように、内引出し１３２の底部１３６から下方に突設した当接板１３４である。
【０１０６】
当接板１３４は、図２２（ａ）に示すように、内引出し１３２及び主引出し１３８が引出しキャビネット本体２内に完全に収納されて閉じられている状態において、主引出し１３８の前面扉１３９の後面より後方に所定距離Ｓ１の間隔をおいて設けられている。
【０１０７】
そして、主引出し１３８の前面扉１３９には、図２１（ａ）、（ｂ）に示すように、内引出し１３２の前面壁１３３と正面視において同じ形状であり、引出し１３２の前面壁１３３が通過可能でぴったりと嵌合可能な開口部１４０が形成されている。なお、前面扉１３９の上端には後方に下方に傾斜した手掛かり部１４１が形成されている。
【０１０８】
実施例４の引出しキャビネット１３１を正面から見て、主引出し１３８の前面扉１３９の開口部１４０は、その縦横寸法が、内引出し１３２の前面壁１３３の縦横寸法より、内引出し１３２が開口部１４０にあまり隙間ができることなく嵌合する程度、若干、大きくなるように形成されている。
【０１０９】
内引出し１３２と主引出し１３８は、実施例１の引出しキャビネット１と同様に、それぞれ独立して開閉自在であるが、共に閉じている状態では、図２１（ｂ）、図２２（ａ）に示すように、内引出し１３２の前面壁１３３が、その前面が主引出し１３８の前面扉１３９の前面と面一となって開口部１４０に嵌合する。
【０１１０】
内引出し１３２の前面壁１３３には取手１３５が設けられており、図２１（ｂ）に示すように、内引出し１３２の取手１３５は主引出し１３８の前面扉１３９の開口部１４０から前方に突出可能である。                                 
【０１１１】
ところで、実施例４の内引出し１３２及び主引出し１３８は、それぞれ実施例１と同様に、ソフトクローズ機構２１（図７（ｄ）、（ｆ）、図９（ｃ）、（ｄ）等参照）が設けられており、内引出し１３２及び主引出し１３８は、それぞれキャビネット本体２内に押し込んでいくと、その途中でソフトクローズ機構２１のバネによる引込み力が作用するように構成されている。
【０１１２】
内引出し１３２は、引出しの際に、その前面壁１３３が距離Ｒ１だけ前方に移動し、内引出し１３２が第１所定位置まで移動すると、ソフトクローズ機構２１のバネによる引込み力の作用が解除され、解除と同時又は解除後に当接板１３４が主引出しの前面扉１３９に当接するように構成とされている。即ち、主引出しの前面扉１３９の後面より当接板１３４までの距離Ｓ１≧距離Ｒ１になるように構成されている。
【０１１３】
また、実施例４の主引出し１３８についても実施例１と同様であり、その前面扉１３９が距離Ｒ２だけ前方に移動し、主引出し１３８が第２所定位置まで移動すると、ソフトクローズ機構２１のバネによる引込み力の作用が解除される構成とされている。
【０１１４】
（作用）                                   
以上の構成から成る実施例４の引出しキャビネット１３１の作用は次のとおりである。図２２（ａ）は、内引出し１３２と主引出し１３８が、共にキャビネット本体２に引込まれて閉じている状態である。この状態から、使用者が、内引出し１３２の取手１３５に手を掛けて前方に引くと、内引出し１３２は単独でキャビネット本体２内で前方にスライド移動する。
【０１１５】
そして、図２２（ｂ）に示すように、内引出し１３２の前面壁１３３が距離Ｒ１だけ前方に移動し、内引出し１３２が第１所定位置まで移動すると、実施例１と同様に、内引出し１３２についてのソフトクローズ機構２１のバネによる引込み力の作用が解除される。この時は、当接板１３４は、想像線の元の位置から距離Ｒ１だけ前方に移動するが、未だ主引出し１３８の前面扉１３９の後面に当接しない。
【０１１６】
そして、さらに内引出し１３２が前方に移動して、内引出し１３２の前面壁１３３が、図２２（ａ）に示す位置から、図２３（ａ）に示すように、前方に距離Ｓ１だけ移動すると、内引出し１３２の当接板１３４が、想像線に示す位置から主引出し１３８の前面扉１３９の後面まで移動して当接する。
【０１１７】
なお、実施例１と同様に、距離Ｒ１（内引出し１３２の閉止状態からバネによる引込み力の作用が解除する第１所定位置までの前面壁１３３の移動距離）を、距離Ｓ１（内引出し１３２の閉止状態における主引出し１３８の後面から当接板１３４の前面までの距離）と同じ長さに設定してもよい。
【０１１８】
そのように設定した場合は、内引出し１３２のソフトクローズ機構２１のバネによる引込み力の作用の解除と、内引出し１３２の当接板１３４が主引出し１３８の前面扉１３９の内面へ当接することが、略同時に生じる。
【０１１９】
上記のとおり、内引出し１３２への引込み力の作用が解除されてから、さらに使用者が内引出し１３２の取手１３５に手を掛けて前方に引くと、内引出し１３２の当接板１３４が、主引出し１３８の前面扉１３９の後面へ当接し、主引出し１３８と内引出し１３２が連結状態となって共に前方にスライド移動する。
【０１２０】
この移動行程では、主引出し１３８についてソフトクローズ機構２１による引込み力は作用するが、図２３（ｂ）に示すように、主引出し１３８の前面扉１３９が、想像線に示す位置から距離Ｒ２だけ前方に移動し、主引出し１３８が第２所定位置まで移動すると、主引出し１３８についてもソフトクローズ機構２１による引込み力の作用が解除される。
【０１２１】
さらに、内引出し１３２の取手１３５に手を掛けて前方に引いて、内引出し１３２と主引出し１３８が連結状態で共に前方にスライド移動する行程では、内引出し１３２及び主引出し１３８のいずれについても、ソフトクローズ機構２１のバネによる引込み力の作用はすでに解除されているので、なんら引込み力を受けることなく、図２４（ａ）に示す状態まで前方に引出すことができる。
【０１２２】
図２４（ａ）に示す状態において、内引出し１３２の取手１３５を後方に押して内引出し１３２を後方にスライド移動すれば、主引出し１３８を開くことができる。そして、内引出し１３２をさらに後方に押し、第１所定位置（図２２（ｂ）参照）まで押込むと、内引出し１３２は、ソフトクローズ機構２１のバネ５９により生じるに引込み力によってキャビネット本体２に、図２４（ｂ）に示す状態まで引込まれる点は、実施例１と同じである。
【０１２３】
内引出し１３２及び主引出し１３８は、それぞれ独立しており、単独で動作させることも可能である。例えば、図２２（ａ）の状態から主引出し１３８のみを単独で前方に引くと、図２３（ｂ）に示すように、主引出し１３８の前面扉１３９が距離Ｒ２だけ前方に移動し、主引出し１３８が第２所定位置にくると、ソフトクローズ機構２１のバネによる引込み力の作用が解除される。
【０１２４】
その後は、主引出し１３８のみを引込み力の作用を受けることなく、図２４（ｂ）の状態まで引出すことが可能となる。なお、主引出し１３８を単独で引出せるようにするために、実施例４では手掛かり部１４１が形成されているが、他の実施の態様として、主引出し１３８の前面扉の前面に主取手又はくぼんだ凹部から成る手掛かり部を設けてもよい。このような主取手を設ける構成を、変形例１及び変形例２として、次に説明する。
【０１２５】
（実施例４の変形例１）  
図２５（ａ）、（ｂ）は、本発明に係る引出しキャビネットの実施例４の変形例１を説明する図である。この変形例１の引出しキャビネット１４５は、実施例４の引出しキャビネット１３１において、主引出し１３８の前面扉１３９の前面に、平面視で凹型で前方に突出したハンドル状の主取手１４６を設けた構成を特徴とする。
【０１２６】
この変形例１の引出しキャビネット１４５では、主取手１４６は、前面扉１３９において開口部１４０の上方に取り付けているが、開口部１４０の下方に取り付けてもよい。また前記のとおり、主取手１４６ではなく、前面扉１３９にくぼんだ凹部から成る手掛かり部を設ける構成としてよい。
【０１２７】
（実施例４の変形例２）  
図２６（ａ）〜（ｃ）は、本発明に係る引出しキャビネットの実施例４の変形例２を説明する図である。この変形例２の引出しキャビネット１５０は、実施例４の引出しキャビネット１３１において、上記変形例１と同様に、主引出し１３８の前面扉１３９の前面に平面視で凹型で前方に突出したハンドル状の主取手１４６を設ける。
【０１２８】
そして、内引出し１３２には、平面視で凹型で前方に突出した取手１３５ではなく、内引出し１３２の前面壁１３３の前面に、くぼんだ凹部から成る手掛かり部１５１（図２６（ｃ）参照）を設けた構成を特徴とする。
【０１２９】
（実施例５）                      
図２７は、本発明に係る引出しキャビネットの実施例５を説明する図である。この実施例５の引出しキャビネット１６１は、実施例４の引出しキャビネット１３１とソフトクローズ付きレール装置も含めて略同じ構成、作用であるので、実施例４と同じ構成、作用については説明を省略し、実施例４の引出しキャビネット１３１と相違する構成を中心に、以下、説明する。なお、実施例５について実施例４と同じ構成は同じ符号を使用する。
【０１３０】
実施例５の引出しキャビネット１６１においては、内引出し１６２を前方の収納スペース１６３と後方の収納スペース１６４に区画する区画板１６５を設ける。この区画板１６５の下端側の部分を、下方に突出するようにし、主引出し１３８の前面扉１３９の後面に当接可能として、区画板１６５を当接板として機能させる構成を特徴とする。要するに、区画板１６５は、収納スペースの区画と当接板を兼用している。
【０１３１】
ここで、主引出し１３８の前面扉１３９の後面から当接板（区画板）１６５の前面までの距離をＳ１とし、内引出し１６２を前方に引出す際にソフトクローズ機構２１のバネによる引込み力の作用が解除されるまで内引出し１６２の前面壁１６９が移動する距離Ｒ１（Ｒ１については図示せず）とすると、実施例４と同様に、距離Ｓ１≧距離Ｒ１になるように構成した。
【０１３２】
主引出し１３８の前面扉１３９の後面から当接板１６５の前面までの距離Ｓ１は、内引出し１６２の前面壁１６９の後面と当接板１６５の前面までの距離と実質的に同じであり、当接板１６５で区画された前方の収納スペース１６３は後方の収納スペース１６４に比べて奥行き寸法が小さい。
【０１３３】
従って、後方の収納スペース１６４は、内引出し１６２の主とするスペースに適しており、前方の収納スペース１６３は、補助的なスペースに適している。前方の収納スペース１６３の側板１７０を後方の収納スペース１６４の側板１７１より上下方向の幅を大きくすれば、背の高めの小物、調味料等を収納するためのスペースとして適している。
【０１３４】
以上のとおり、実施例５の引出しキャビネット１６１では、前方の収納スペース１６３と後方の収納スペース１６４に区画する区画板１６５が、当接板として機能する以外は、作用は実施例４の引出しキャビネット１３１と同じである。
【０１３５】
以上、本発明に係る引出しキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１３６】
本発明に係る引出しキャビネットは上記のような構成であるから、主引出しと内引出しを備えた引出しキャビネットであれば、キッチン用、事務用、家具様等、いろいろな分野の引出しキャビネットに適用可能である。
【符号の説明】
【０１３７】
１  引出しキャビネット                                             
２  キャビネット本体                                   
３  主引出し                                                 
４  内引出し                                                 
５  主取手
６  前面扉
７  前面扉の開口部                                           
８  主引出し用の第１レール                                     
９  内引出し用の第２レール                                        
１０  主引出し本体                                              
１１  主引出し用第１インナーレール                                  
１２  内引出し用第２インナーレール
１３  内引出しの前面壁
１４  キャビネット本体の左右の側壁                        
１５  内引出し本体                
１７  内引出しの取手                                                      
２０  内引出しの左右の側板                                      
２１  ソフトクローズ機構                                        
２２  引込み機構                                              
２６  内引出し用の第２レールの底部
２７  内引出し用の第２レールの外側壁
２８  内引出し用の第２レールの支持レール部                    
３１  内引出し用の第２インナーレールの取付け壁                      
３２  インナーレールの頂壁                                        
３３  インナーレールの外側壁                                      
３４  インナーレールの底部                                        
３５  インナーレールの内側壁                                      
３６  インナーレールの係合突起                                    
３８  インナーレールの転動輪                                      
４０  ロック案内部材                                            
４１  ロック案内部材の頂壁                                      
４２  ロック案内部材の外側壁                                    
４３  ロック案内部材の内側壁                                    
４４  ロック案内部材の取付け部                                
４５  ロック案内部材の内側壁の開口部                            
４６  ロック案内部材の内側壁の隙間                              
５０  ロック部材                                                
５１  ロック部材の平板部                                        
５２  ロック部材の第１案内隆起部                                
５３  ロック部材の第２案内隆起部                                
５４  ロック部材の第１係合隆起部                                    
５５  ロック部材の第２係合隆起部                                
５６  ロック部材の外側面                                        
５７  ロック部材のバネの装着部                                              
５９  バネ（引っ張りコイルバネ）                                
６１  第２レールの底部後端のバネ装着部                      
６２  内蔵されたダンパー                                        
６３  ダンパーの可動ピストン軸                                  
６４  可動ピストン軸から側方に突出した受け部 
７１  パッキン
７２  内引出しの取手
７３  取手の橋絡部
７４  手掛け孔
７５  内引出しの取手       
８１  引出しキャビネット
８２  前面扉
８３  主引出し
８４  手掛かり部
８７  内引出し
８８  小物収納部材
８９  取付部
９０  小物収納部
９１  内引出しの取手
９２  小物収納面
９５  パッキン
９６  凹溝
１０１  引出しキャビネット
１０２  主引出し
１０３  主取手
１０６  内引出し
１０７  内引出しの取手
１０８  後方垂直部
１０９  指掛け部
１１０  載置部
１１５  内引出しの取手の水平基部
１１６  内引出しの取手の垂直部
１１７  内引出しの取手の指掛け部
１１８  内引出し本体
１１９  主引出し本体
１２０  引出しキャビネット
１２１  内引出し
１２２  内引出し本体
１３１  引出しキャビネット
１３２  内引出し
１３３  内引出しの前面壁
１３４  当接板
１３５  内引出しの取手
１３６  内引出しの底部
１３８  主引出し
１３９  主引出しの前面扉
１４０  開口部
１４１  主引出しの手掛かり部
１４５  引出しキャビネット
１４６  主取手
１５０  引出しキャビネット
１５１  内引出しの手掛かり部
１６１  引出しキャビネット
１６２  内引出し
１６３  前方の収納スペース
１６４  後方の収納スペース
１６５  当接板（区画板）
１６９  内引出しの前面壁
１７０  前方の収納スペースの側板
１７１  後方の収納スペースの側板
【図１】
2014004330.tif 000003
【図２】
2014004330.tif 000004
【図３】
2014004330.tif 000005
【図４】
2014004330.tif 000006
【図５】
2014004330.tif 000007
【図６】
2014004330.tif 000008
【図７】
2014004330.tif 000009
【図８】
2014004330.tif 000010
【図９】
2014004330.tif 000011
【図１０】
2014004330.tif 000012
【図１１】
2014004330.tif 000013
【図１２】
2014004330.tif 000014
【図１３】
2014004330.tif 000015
【図１４】
2014004330.tif 000016
【図１５】
2014004330.tif 000017
【図１６】
2014004330.tif 000018
【図１７】
2014004330.tif 000019
【図１８】
2014004330.tif 000020
【図１９】
2014004330.tif 000021
【図２０】
2014004330.tif 000022
【図２１】
2014004330.tif 000023
【図２２】
2014004330.tif 000024
【図２３】
2014004330.tif 000025
【図２４】
2014004330.tif 000026
【図２５】
2014004330.tif 000027
【図２６】
2014004330.tif 000028
【図２７】
2014004330.tif 000029